(57)【要約】【課題】赤外線信号の受信レベルのよい場所に設置することができるとともに、受信レベルが低下してきた場合、これを認識できる換気連動システムを提供することを目的とする。【解決手段】換気装置６は、赤外線信号受信手段７にて受信した赤外線信号の受光レベルを検知するレベル検知手段１０と、レベル検知手段１０にて検知された受光レベルを記憶する記憶手段１１と、記憶手段１１に予め記憶されている受光レベルと新たにレベル検知手段１０にて検知した受光レベルとを比較し、記憶手段１１に記憶している受光レベルよりも新たに検知した受光レベルが所定以上小さい時に報知を行う報知手段１３とを有するものである。これにより、システムの設置前に赤外線信号の受光レベルが所定以上であることを確認できるとともに、使用中に赤外線信号の受光レベルが低下した場合にはこれを報知することができる。【選択図】図１
2006343007.tif 000002
【特許請求の範囲】
【請求項１】
加熱手段および赤外線信号送信手段を有する加熱装置と、赤外線信号送信手段からの赤外線信号を受信する赤外線信号受信手段およびこの信号により駆動されるファンを有する換気装置とを備え、前記換気装置は、赤外線信号受信手段にて受信した赤外線信号の受光レベルを検知するレベル検知手段と、レベル検知手段にて検知された受光レベルを記憶する記憶手段と、記憶手段に予め記憶されている受光レベルと新たにレベル検知手段にて検知した受光レベルとを比較し、記憶手段に記憶している受光レベルよりも新たに検知した受光レベルが所定以上小さい時に報知を行う報知手段とを有する換気連動システム。
【請求項２】
記憶手段に予め記憶する受光レベルは、所定操作により任意に設定可能とした請求項１に記載の換気連動システム。
【請求項３】
記憶手段に予め記憶する受光レベルは、初回電源投入後に最初に赤外線信号受信手段にて受信した赤外線信号の受光レベルとした請求項１または２に記載の換気連動システム。
【請求項４】
記憶手段は、不揮発性記憶装置からなる請求項１〜３のいずれか１項に記載の換気連動システム。
【請求項５】
換気装置は、レベル検知手段にて検知した赤外線の受光レベルを表示するレベル表示手段を備えた請求項１〜４のいずれか１項に記載の換気連動システム。
【請求項６】
加熱装置は、通常は同時に同じ赤外線信号を送信する少なくとも２つ以上の赤外線信号送信手段を有し、所定操作にて複数の赤外線信号送信手段からの出力を個別に送信可能とした請求項１〜５のいずれか１項に記載の換気連動システム。
【発明の詳細な説明】
【技術分野】
【０００１】
本発明は、家庭用や業務用のキッチンなどに用いられる加熱装置と連動する換気連動システムに関するものである。
【背景技術】
【０００２】
従来、この種の換気連動システムはすでに知られている（例えば、特許文献１参照）。
【０００３】
図６は、その構成を示すものであり、調理などを行う加熱装置１０１は、ガスや誘導加熱を熱源とし鍋などを加熱する加熱手段１０２と、加熱手段１０２を制御する加熱制御手段１０３と、加熱装置１０１を操作する操作手段Ａ１０４と、制御信号を赤外線にて送信する赤外線信号送信手段１０５とを有する。また、換気装置１０６は、赤外線信号送信手段１０５にて送信された赤外線信号を受信する赤外線信号受信手段１０７と、換気を行うためのファン１０９と、ファン１０９を制御するファン制御手段１０８と、換気装置１０６を操作する操作手段Ｂ１１４とを有する。
【０００４】
そして、加熱装置１０１の操作手段Ａ１０４により加熱手段１０２による加熱を開始すると、それに連動して赤外線信号送信手段１０５より換気装置１０６のファン１０９を制御する信号が送信される。その信号を赤外線信号受信手段１０７が受信すると、使用者が換気装置１０６の操作手段Ｂ１１４を操作せずに、換気装置１０６のファン１０９が所定の回転で駆動するようにファン制御手段１０８に信号が送られ、ファン１０９が所定の回転数で回転し換気を行う。同様に操作手段Ａ１０４にて加熱手段１０２による加熱を停止すると、赤外線信号送信手段１０５より換気装置１０６に赤外線信号が送られ、換気装置１０６のファン１０９が停止、あるいは所定時間後に停止するという状態になる。更に操作手段Ａ１０４には、換気装置１０６の操作手段Ｂ１１４と同様にファン１０９の制御を行える機能も備えており、操作手段Ａ１０４にて赤外線信号送信手段１０５に換気装置１０６のファン１０９の回転などを制御するよう信号を送り、赤外線信号送信手段１０５から信号を送信することも可能なものである。
【特許文献１】特開２００３−３４３８５４号公報
【発明の開示】
【発明が解決しようとする課題】
【０００５】
しかしながら、前記従来の構成では、赤外線信号の送信側である加熱装置１０１も受信側である換気装置１０６もキッチンなどの限られた場所に設置されるため、赤外線信号送信手段１０５から送信された赤外線信号の受信レベルのよい場所に設置できない場合が生じるが、これを認識することができなかった。また、使用しているうちに赤外線信号の受信レベルが低下しても、これを認識することができないという課題も有していた。
【０００６】
本発明は、前記従来の課題を解決するもので、システムを設置するときに赤外線信号の受信レベルのよい場所に設置することができるとともに、使用している間に赤外線受信レベルが低下してきた場合、これを認識することができる換気連動システムを提供することを目的とする。
【課題を解決するための手段】
【０００７】
前記従来の課題を解決するために、本発明の換気連動システムは、換気装置が、赤外線信号受信手段にて受信した赤外線信号の受光レベルを検知するレベル検知手段と、レベル検知手段にて検知された受光レベルを記憶する記憶手段と、記憶手段に予め記憶されている受光レベルと新たにレベル検知手段にて検知した受光レベルとを比較し、記憶手段に記憶している受光レベルよりも新たに検知した受光レベルが所定以上小さい時に報知を行う報知手段とを有するものである。
【０００８】
これにより、システムの設置前に赤外線信号の受光レベルが所定以上であることを確認できるとともに、使用中に赤外線信号の受光レベルが低下した場合にはこれを報知することにより、システムの故障か、障害物による影響かなどを判断し処置することができる。
【発明の効果】
【０００９】
本発明の換気連動システムは、システムの設置前に赤外線信号の受光レベルが所定以上であることを確認できるとともに、使用中に赤外線信号の受光レベルが低下した場合にはこれを報知することができる。
【発明を実施するための最良の形態】
【００１０】
第１の発明は、加熱手段および赤外線信号送信手段を有する加熱装置と、赤外線信号送信手段からの赤外線信号を受信する赤外線信号受信手段およびこの信号により駆動されるファンを有する換気装置とを備え、前記換気装置は、赤外線信号受信手段にて受信した赤外線信号の受光レベルを検知するレベル検知手段と、レベル検知手段にて検知された受光レベルを記憶する記憶手段と、記憶手段に予め記憶されている受光レベルと新たにレベル検知手段にて検知した受光レベルとを比較し、記憶手段に記憶している受光レベルよりも新たに検知した受光レベルが所定以上小さい時に報知を行う報知手段とを有する換気連動システムとすることにより、システムの設置前に赤外線信号の受光レベルが所定以上であることを確認できるとともに、使用中に赤外線信号の受光レベルが低下した場合にはこれを報知することにより、システムの故障か、障害物による影響かなどを判断し処置することができる。
【００１１】
第２の発明は、特に、第１の発明において、記憶手段に予め記憶する受光レベルは、所定操作により任意に設定可能としたことにより、システム設置時などに色々な受信レベルを確認後に任意に初期値を記憶設定させることができ、正しい受光レベルを初期値とすることができる。
【００１２】
第３の発明は、特に、第１または第２の発明において、記憶手段に予め記憶する受光レベルは、初回電源投入後に最初に赤外線信号受信手段にて受信した赤外線信号の受光レベルとしたことにより、自動的に赤外線信号の受信レベルを記憶するので、使用者あるいは設置者が基準となる赤外線信号の受信レベルを覚えこませる必要がない。
【００１３】
第４の発明は、特に、第１〜第３のいずれか１つの発明において、記憶手段は、不揮発性記憶装置からなることにより、換気装置の電源が遮断されたときにも初期の赤外線信号の受信レベルを記憶し続けることができる。
【００１４】
第５の発明は、特に、第１〜第４のいずれか１つの発明において、換気装置は、レベル検知手段にて検知した赤外線信号の受光レベルを表示するレベル表示手段を備えたことにより、使用者が視覚的に受光レベルを確認でき、受光レベルが下がってきているなどの判断が容易にでき、仮設置状態で最も受光レベルの良い場所を探ることができるとともに、報知手段にて報知されなくとも受光レベルの低下を判断することができる。
【００１５】
第６の発明は、特に、第１〜第５のいずれか１つの発明において、加熱装置は、通常は同時に同じ赤外線信号を送信する少なくとも２つ以上の赤外線信号送信手段を有し、所定操作にて複数の赤外線信号送信手段からの出力を個別に送信可能としたことにより、換気装置の受光レベルが低下した場合に、複数の赤外線信号送信手段からの信号を個別、すなわち単独で送信することができるので、どの赤外線信号送信手段が故障しているか、あるいは障害物がどの赤外線信号送信手段からの送信経路にあるかの特定を容易に行うことができる。
【００１６】
以下、本発明の実施の形態について、図面を参照しながら説明する。なお、この実施の形態によって本発明が限定されるものではない。
【００１７】
（実施の形態）
図１は、本発明の実施の形態における換気連動システムを示している。
【００１８】
図に示すように、調理などを行う加熱装置１は、ガスや誘導加熱を熱源とし鍋などを加熱する加熱手段２と、加熱手段２を制御する加熱制御手段３と、加熱装置１を操作する操作手段Ａ４と、制御信号を赤外線信号にて送信する赤外線信号送信手段５とを有する。
【００１９】
また、換気装置６は、赤外線信号送信手段５にて送信された赤外線信号を受信する赤外線信号受信手段７と、ファン制御手段８と、ファン制御手段８により制御駆動され換気を行うファン９と、赤外線信号受信手段７にて受信した赤外線信号の受光レベルを検知するレベル検知手段１０と、レベル検知手段１０で検知された赤外線信号の受光レベルを記憶する記憶手段１１と、記憶手段１１に予め記憶されている受光レベルと新たに新たにレベル検知手段１０にて検知した赤外線信号の受光レベルとを比較する比較手段１２と、比較手段１２にて新たに受信した赤外線信号の受光レベルが記憶手段１１に記憶している受光レベルよりも所定値以上小さい時に音、音声、光音またはこれらの組み合わせなどで警告報知する報知手段１３と、換気装置６を操作する操作手段Ｂ１４とを有する。
【００２０】
以下、換気連動システムの一連の動作について説明する。
【００２１】
加熱装置１の操作手段Ａ４により加熱手段２による加熱を開始すると、それに連動して赤外線信号送信手段５より換気装置６のファン９を制御する赤外線信号が送信される。その信号を赤外線信号受信手段７が受信すると、使用者が換気装置６の操作手段Ｂ１４を操作せずに、換気装置６のファン９が所定の回転で駆動するようにファン制御手段８に信号が送られ、ファン９が所定の回転数で回転し換気を行う。同様に操作手段Ａ４にて加熱手段２による加熱を停止すると、赤外線信号送信手段５より換気装置６に赤外線信号が送られ、換気装置６のファン９が停止、あるいは所定時間後に停止するという状態になる。
【００２２】
更に操作手段Ａ４には、換気装置６の操作手段Ｂ１４と同様にファン９の制御を行える機能も備えており、操作手段Ａ４にて赤外線信号送信手段５に換気装置６のファン９の回転などを制御するよう信号を送り、赤外線信号送信手段５から信号を送信することも可能である。
【００２３】
次に、図２、図３を用いて赤外線信号送信手段５の回路構成と、送信信号および受信信号の形態について説明する。
【００２４】
図２において、赤外線信号送信手段５は、赤外線を発光する赤外ＬＥＤ１５ａ、１５ｂ、それぞれの赤外ＬＥＤ１５ａ、１５ｂをオン・オフ駆動するトランジスタ１６ａ、１６ｂ、換気装置６の制御信号を出力するためにパルスを発生する信号発生手段１７を有する。また、信号発生手段１７は送信する赤外線の光量を増加させるために、赤外ＬＥＤ１５ａ、１５ｂを同時に駆動している。信号発生手段１７により発生する換気装置６の制御信号は、財団法人家電製品協会フォーマット（以下家製協フォーマット）に従った信号形態をしており、副搬送波は３６．７ｋＨｚを使用して、図３に示すように、送信信号の始まりのリーダと終わりのトレーラおよび“０”、“１”に相当する信号である。また、赤外線信号受信手段７の受光部はバンドパスフィタを介して復調することで、図３のように、送信信号のＨ（ハイ）・Ｌ（ロー）が逆になった受信信号となっている。
【００２５】
次に、図４に赤外線信号受信手段７にて受信した受信信号の受光レベルと受信信号のＨ・Ｌのパルス幅との関係を示す。
【００２６】
レベル検知手段１０は受光レベルが低くなるほどハイレベルのパルス幅は長く、ローレベルのパルス幅は短くなる（図では数値が大きいほど受光レベルが高いことを示している）ことで受光レベルを検知する。そして、記憶手段１１にレベル検知手段１０にて検知した受光レベルを予め記憶する。更に比較手段１２は記憶手段１１に予め記憶している受光レベルと今回新たに受信した赤外線信号の受光レベルを比較し、所定以上小さい時（本実施の形態では、２レベル以上小さくなった時）には、報知手段１３に信号を送り報知手段１３にて警告報知する。なお、記憶手段１１に記憶するデータは、受信した赤外線の受光レベルが低下した場合には更新しないようにする。ここで、加熱装置１および換気装置６はキッチンなどに設置されており移動不可能であり、また赤外ＬＥＤ１５ａ、１５ｂに流れる電流も途中で変化しないので、通常はレベル検知手段１０にて検知される受光レベルはほぼ同じとなり、受光レベルが低下した場合、赤外線信号送信手段５の故障あるいは送信経路に障害物があり、受光レベルが低下していることが判る。更に特定の条件下でのみ報知手段１３にて警告表示される場合には、障害物により赤外線信号が遮断されていると判断することができる。
【００２７】
なお、本実施の形態では赤外ＬＥＤ１５ａ、１５ｂを２ヶの並列接続としたが、直列接続としても良い。また、赤外線信号の形態を家製協フォーマットとして副搬送波は３６．７ｋＨｚとしたが、他の副搬送波周波数を使用するフォーマット形式でも効果は同じである。
【００２８】
更に換気装置６の操作手段Ｂ１４の操作にて記憶手段１１へ赤外線受光レベルを記憶するようにする。これにより任意に受光レベルを記憶手段１１に記憶させることができ、正しい受光レベルを初期値とできるので、受光レベルの低下時に使用者に知らせることができ、使用者は障害物がないかを確認することで赤外線信号送信手段５の故障かを判断することができる。また設置後に取り除くことが不可能となった障害物が発生した場合には、再度基準となる受光レベルを記憶させることができ、不用意に報知手段１３より警告されるのを防ぐことができる。なお、操作手段Ｂ１４によって記憶手段１１へ記憶するために、操作手段Ｂ１４に専用のスイッチを設けても良いが、頻繁に使用するというものでもないので、通常使用するスイッチの複数押しなどで代用すれば、スペースやコストアップにつながることはない。
【００２９】
更に換気装置６は、初回電源投入後に最初に赤外線信号受信手段７にて受信した信号の受光レベルを記憶手段１１に記憶するようにする。これにより自動的に赤外線信号の受信レベルを記憶するので、使用者あるいは設置者が基準となる赤外線信号受信レベルを覚えこませる必要がない。
【００３０】
更に記憶手段１１を不揮発性記憶装置で構成する。それにより換気装置６の電源が遮断されたときにも記憶手段１１に記憶した受光レベルデータが消失することなく初期の赤外線信号受信レベルを記憶し続けることができる。
【００３１】
また、図５は、換気装置６にレベル表示手段１８を追加したものである。レベル表示手段１８はレベル検知手段１０にて検知した赤外線信号の受光レベルを表示するものであり、使用者が視覚的に受光レベルを確認でき、受光レベルが下がってきているなどの判断が容易にでき、仮設置状態でもっとも受光レベルの良い場所を探ることができるとともに、報知手段１３にて報知されなくとも受光レベルの低下を判断することができる。
【００３２】
更に図２に示す赤外線信号送信手段５の構成において、信号発生手段１７は通常同時にトランジスタ１６ａ、１６ｂを駆動するが、操作手段Ａ４からの操作により単独でトランジスタ１６ａ、１６ｂを駆動できるようにしている。これにより、どの赤外線信号送信手段が故障しているか、あるいは障害物がどの赤外線信号送信手段からの送信経路にあるかの特定を容易に行うことができる。なお、操作手段Ａ４によってトランジスタ１６ａ、１６ｂの駆動を単独駆動とするために、操作手段Ｂ１４に専用のスイッチを設けても良いが、頻繁に使用するというものでもないので、通常使用するスイッチの複数押しなどで代用すれば、スペースやコストアップにつながることはない。
【００３３】
また、本実施の形態の加熱装置１は熱源をガスや誘導加熱とし鍋などを加熱する調理器としたが、調理庫を備えたオーブンや電子レンジなどと換気装置とを連動させるシステムの場合にも同様の効果がある。
【産業上の利用可能性】
【００３４】
以上のように、本発明にかかる換気連動システムは、システムの設置前に赤外線信号の受光レベルが所定以上であることを確認できるとともに、使用中に赤外線信号の受光レベルが低下した場合にはこれを報知することができるので、赤外線信号を利用して通信を行うシステムにおいて設置場所の判断や故障などの確認にも応用できる。
【図面の簡単な説明】
【００３５】
【図１】本発明の実施の形態における換気連動システムの構成図
【図２】同換気連動システムにおける赤外線信号送信手段の構成図
【図３】同同換気連動システムにおける赤外線信号の送受信信号図
【図４】同赤外線信号受信手段の受光レベルとパルス幅の相関図
【図５】同換気連動システムの他の例を示す構成図
【図６】従来例における換気連動システムの構成図
【符号の説明】
【００３６】
１  加熱装置
２  加熱手段
５  赤外線信号送信手段
６  換気装置
７  赤外線信号受信手段
１０  レベル検知手段
１１  記憶手段
１３  報知手段
１８  レベル表示手段
【図１】
2006343007.tif 000003
【図２】
2006343007.tif 000004
【図３】
2006343007.tif 000005
【図４】
2006343007.tif 000006
【図５】
2006343007.tif 000007
【図６】
2006343007.tif 000008